(57)【特許請求の範囲】
【請求項１】
使用時に上側位置になる上側筐体と、この上側筐体にヒンジ部によって折り畳み可能に結合された下側筐体からなる筐体と、
前記上側筐体に設けられ、操作状態、動作状態、又は選択した機能の実行状態を表示する表示部と、
少なくとも手書き入力およびソフトウェア・キーボード入力の表示のために用いられると共に、前記下側筐体に設けられるペン入力部と、
前記表示部が該画面の切り替わりに応じて前記ペン入力部による入力操作を要求する表示状態になったときに前記ペン入力部への電源供給を開始し、前記表示部が該画面の切り替わりに応じて前記ペン入力部による入力操作を必要としない表示状態になったときに前記ペン入力部への電源供給を停止する制御手段を備えることを特徴とする携帯端末装置。
【請求項２】
前記ペン入力部は、ペン入力が行われる入力パネルと、この入力パネル内に配設され、入力のためのガイド表示及び入力内容を表示する液晶表示手段を備えることを特徴とする請求項１記載の携帯端末装置。
【請求項３】
前記ペン入力部は、前記電源供給が行われているとき、操作面に手書き入力用のガイドが表示されることを特徴とする請求項１又は２記載の携帯端末装置。
【請求項４】
前記ペン入力部は、前記手書き入力用のガイドに１又は複数の十字マークを含むことを特徴とする請求項３記載の携帯端末装置。
【請求項５】
前記ペン入力部は、前記手書き入力用のガイドとして、２つの十字マークと、この十字マーク間に配設された１つの直線マークを含むことを特徴とする請求項３記載の携帯端末装置。
【発明の詳細な説明】
【０００１】
【発明の属する技術分野】
本発明は、携帯端末装置に関し、特に、表示部と手書き入力が行えるペン入力部を備え、液晶表示器に入力スペースを割り当てることなく文字入力が行えると共に、ペン入力部による消費電力を低減できるようにする携帯端末装置に関する。
【０００２】
【従来の技術】
携帯電話機等の携帯端末装置は、小型軽量化が求められていることから、文字入力等を行うためのキーを本体表面等に設けることができず、電話番号の入力に用いられるテンキーを平仮名やアルファベットの入力に兼用している。このため、文字入力を行おうとすると、１文字の入力に対してテンキーを何度も操作する必要があり、文字入力が非常に煩わしい。電話帳の入力程度であれば、文字入力は使用開始時や追加時、変更時等であるため、さほど不便さを感じることは少ないが、近年盛んなメール等を行おうとすると、極めて不便になる。そこで、液晶表示器（ＬＣＤ）にタッチセンサを設け、その指定の部分を指や入力用のペンで押圧することにより、手書き文字や応答する文字の入力、その他の入力が行えるようにした入力パネル付きの表示部を備えた携帯端末装置が提案されている。
【０００３】
図９は、入力パネルを装備した従来の携帯端末装置を示す。ここでは、携帯端末装置として、折り畳み型の携帯電話機を示している。携帯電話機３０は、上側筐体３１と下側筐体３２をヒンジ部３３で連結した折り畳み型を形成している。上側筐体３１の内面には、液晶表示器による入力パネル付き表示部３４が設けられており、下側筐体３２には、テンキー３５及びメニューキー３６が設けられている。入力パネル付き表示部３４は、画面上に透明な薄膜状の入力パネルを張り付けた構成を有しており、表示装置と入力装置を兼用している。
【０００４】
図９において、文字入力を行うには、表示部３４の画面上に表示されたアイコン、ソフトウェア・キーボード等の画像上をペンで押圧することにより、対応する文字や数字がデータとして入力される。このように、入力パネル付き表示部３４を設けた構成により、手書き文字入力時には、ひらがな、カタカナ、英字、数字等の字種を混在した入力が可能、直接に漢字を入力可能、慣れやすい等の利点が得られる。
【０００５】
しかしながら、図９の構成では、手書き文字入力時に表示部３４の画面の一部にペン入力エリアを確保する必要があり、他の表示エリアを狭くなるという問題がある。この問題を解決するものとして、例えば、特開平１１−３４１１１４号公報があり、ストレート型でフリップ（を備えた携帯電話機にあって、フリップの内側にタブレットを装着し、これを入力操作部とし、液晶表示器は表示のみに使用できるようにしている。
【０００６】
ところで、図９のように入力パネルを採用したり、特開平１１−３４１１１４号公報のように、別途タブレットを設ける構成では、不使用時でも入力パネルやタブレットへの電力供給が常時行われているため、その消費電力は無視できず、携帯電話機の使用可能時間が短くなるという問題がある。このような問題を解決するものとして、例えば、特開平２−１７８８１７号公報があり、指等によりタッチパネルに圧力が加えられるなどし、入力操作が有ったことを検出したときにタッチパネルに電源供給を行い、入力操作が無いとき（不使用時）にはタッチパネルに電力供給が行われないようにし、タッチパネルにおける消費電力を低減できるようにしている。
【０００７】
【発明が解決しようとする課題】
しかし、従来の携帯端末装置によると、特開平１１−３４１１１４号公報の携帯電話機では、タブレットを用いているため、機能キーとしての操作性には優れているが、手書き文字の入力が行えない。また、特開平２−１７８８１７号公報の携帯端末装置は、実際にタッチパネルを使用する意思がないときでも、操作者が不用意に触れただけでタッチ状態が検出され、タッチパネルに電源供給が行われてしまう不具合がある。このように、消費電力の低減については課題が残されており、完璧な消費電力低減には至っていない。
【０００８】
したがって、本発明の目的は、ペン入力部を表示部とは別個に確保し、表示器を表示のみに利用できるようにしながら、必要とするときにのみ電源供給が行われることによりペン入力部における消費電力の低減が効果的に行われるようにした携帯端末装置を提供することにある。
【０００９】
【課題を解決するための手段】
本発明は、上記の目的を達成するため、使用時に上側位置になる上側筐体と、この上側筐体にヒンジ部によって折り畳み可能に結合された下側筐体からなる筐体と、前記上側筐体に設けられ、操作状態、動作状態、又は選択した機能の実行状態を表示する表示部と、少なくとも手書き入力およびソフトウェア・キーボード入力の表示のために用いられると共に、前記下側筐体に設けられるペン入力部と、前記表示部が該画面の切り替わりに応じて前記ペン入力部による入力操作を要求する表示状態になったときに前記ペン入力部への電源供給を開始し、前記表示部が該画面の切り替わりに応じて前記ペン入力部による入力操作を必要としない表示状態になったときに前記ペン入力部への電源供給を停止する制御手段を備えることを特徴とする携帯端末装置を提供する。
【００１０】
この構成によれば、表示部は表示のみに用いられ、また、ペン入力部はペン入力（手書き入力）のための入力操作と手書き入力の表示のために用いられ、表示部の表示領域の一部が手書き入力のために割り当てられることがなく、しかも、ペン入力部への通電は、ペン入力が要求される表示の行われている時にのみ成されるので、表示器とは別個に手書き文字入力等を行うためのペン入力部を装備しながら、ペン入力部における消費電力の抑制を効果的に行えるようになる。また、ペン入力部はソフトウェア・キーボードによる数字等の表示と入力のために用いることができる。
【００１１】
【発明の実施の形態】
以下、本発明の実施の形態を図面に基づいて説明する。
図１は、本発明による携帯端末装置の第１の実施の形態を示す。以下においては、携帯端末装置として、携帯電話機を示している。携帯端末装置１（携帯電話機）は、上側筐体２と下側筐体４をヒンジ部３で連結した折り畳み型を形成している。折り畳んだ時には２つ折りに重ねた状態になり、展開したときには上側筐体２と下側筐体４を水平に連結した大きさになる。上側筐体２の内面には、液晶表示器による表示部５が設けられており、下側筐体４には、手書きにより数字、文字等を入力するためのペン入力部６、及びその他の入力のために用いられる入力デバイス７が設けられている。さらに、上側筐体２には伸縮式のアンテナ８が設けられている。
【００１２】
表示部５は表示のみを行うものであり、ペン入力のためのガイド等の表示が行われる。例えば、待ち受け画面、音声通信の発着信／通話中画面、メール送受信画面等が表示される。ペン入力部６は、ペン入力が行われる入力パネル（図示せず）と、この入力パネル内に入力のためのガイド表示等を行う不図示の液晶表示部（液晶表示手段）を備えて構成されており、手書き文字入力、ソフトウェア・キーボードによる数字等の入力、手書き文字入力の操作と、そのためのガイド表示、ソフトウェア・キーボードのための表示等が行われる。入力デバイス７はキーやポインティング等のデバイスを用いて構成され、携帯電話機１の電源ＯＮキー、音声発信開始キー、着信キー、方向キー、ポインティングデバイス等の機能を有している。入力デバイス７は、図示のように下側筐体４に集中的に配置される必要はなく、使いやすい位置に分散して配置されていてもよい。
【００１３】
図２は、携帯端末装置１の電気系統の構成を示す。
携帯端末装置１は、表示部５、ペン入力部６、入力デバイス７、アンテナ８、送受信回路部１１、制御部１２，ＲＡＭ１３、ＲＯＭ１４，表示駆動部１５、音声処理部１６、受話器としてのスピーカ１７、及び送話器としてのマイク１８を備えて構成されている。
【００１４】
アンテナ８には、送受信回路部１１が接続されている。この送受信回路部１１は、制御部１２により制御されると共に、受信回路、送信回路、変調回路、及び復調回路を備え、音声やメール等の送受信動作を行う。制御部１２には、ペン入力部６、入力デバイス７、ＲＡＭ１３、不揮発性メモリであるＲＯＭ１４、表示駆動部１５、及び音声処理部１６のそれぞれが接続されている。制御部１２はＣＰＵを備えて構成され、ＲＯＭ１４に書き込まれたプログラムに従って携帯端末装置の全体を制御する。ＲＡＭ１３には、例えばフラッシュメモリが用いられ、電話帳データ、その他のデータを記憶している。音声処理部１６は、電話モードのとき、マイク１８からのアナログ音声信号をデジタルデータ（音声データ）に変換すると共に、送受信回路部１２で復調された音声データをアナログ音声信号に変換し、その増幅を行ってスピーカ１７を駆動（電気−音響変換）する。
【００１５】
図３は、ＲＯＭ１４に格納されているプログラムの構成を示す。ＲＯＭ１４は、電源制御要求検出処理部１４ａ、電源ＯＮ指示処理部１４ｂ、電源ＯＦＦ指示処理部１４ｃ、及び電源制御実行処理部１４ｄを備えている。電源制御要求検出処理部１４ａは、ペン入力部６の電源をＯＮするかＯＦＦするかの要求を検出し、ＯＮの場合には電源ＯＮ指示処理部１４ｂを呼び出し、ＯＦＦの場合には電源ＯＦＦ指示処理部１４ｃが呼び出される。電源ＯＮ指示処理部１４ｂは、電源制御実行処理部１４ｄがペン入力部６の電源をＯＮにするために必要な情報を作成し、これに基づいて電源制御実行処理部１４ｄが呼び出される。電源ＯＦＦ指示処理部１４ｃは、電源制御実行処理部１４ｄがペン入力部６の電源をＯＦＦにするために必要な情報を作成し、これに基づいて電源制御実行処理部１４ｄが呼び出される。電源制御実行処理部１４ｄは、ペン入力部６の電源をＯＮまたはＯＦＦにする処理を実行する。
【００１６】
図４は、図１の携帯端末装置の入力処理を示す。また、図５はペン入力部６の電源ＯＮ時のペン入力部６及び表示部５の表示内容の変化を示し、図６は電源ＯＦＦ時のペン入力部６及び表示部５の表示内容の変化を示し、それぞれの処理は図３のプログラムを用いて制御部１２により実行される。さらに、図７はペン入力部６の電源供給時にペン入力部６の表示面に表示される手書き入力用ガイド６ａを示す。なお、図４における“Ｓ”はステップを表している。
【００１７】
携帯端末装置１の主電源がオン状態にあり、ペン入力部６が用いられておらず、ユーザの指定による動作モードが実行中（Ｓ１０１）にあるとき、表示部５の表示内容が、図５の（ａ）に示す状態（新規メール作成画面）になったとする。この画面においては、「題名入力」と「宛先」の欄にユーザーによる入力が要求される。そこで、制御部１２は手書き文字入力の要求を発生させる。この要求を電源制御要求検出処理部１４ａが検出すると（Ｓ１０２）、電源ＯＮ指示処理部１４ｂが呼び出され（Ｓ１０４）、ペン入力部６への電源供給が行われる（Ｓ１０５）。一方、手書き文字入力の要求が無いときには、電源ＯＦＦ指示処理部１４ｃを起動させる（Ｓ１０３）。ペン入力部６への電源供給がＯＮになると（Ｓ１０５）、ペン入力部６の表示面上には図７に示すガイド６ａが表示され、ペン入力部６によるペン入力（手書き文字入力）が可能になる（Ｓ１０６）。このとき、表示部５は、図５の（ａ）の表示内容（メール管理）から（ｂ）の表示内容（入力操作前のメール題名入力）に遷移する。ここで、ペン入力部６を操作し、例えば、「あ」の仮名文字を手書き入力すると、ペン入力部６の液晶表示部には、その文字軌跡が表示される（Ｓ１０７）。また、ペン入力部６による文字入力に対応する変換文字が表示部５の「題名入力」の欄の下部に「あ」の文字が図５の（ｃ）のように表示される。この「あ」のひらがなは、そのまま確定され、或いは必要に応じて、次に入力された文字との組み合わせによる漢字への変換が行われる。「題名入力」の文字入力が終わると、次に、表示部５は「宛先」入力を行うための画面（図示せず）に遷移し、ペン入力部６を用いた文字入力が行われる。
【００１８】
ペン入力部６による文字入力が終わると（Ｓ１０８）、ユーザーにより待ち受け画面に遷移するための操作が行われる。この待ち受け画面への遷移時点では、手書き文字入力の必要性は無くなるため、手書き文字入力終了の要求が発生する。この要求は電源制御要求検出処理部１４ａによって判定され、さらに電源ＯＦＦ指示処理部１４ｃが読み出され、電源制御実行処理部１４ｄによってペン入力部６への電源供給が停止される（Ｓ１０９）。同時に、表示部５の表示は、図６の（ａ）の内容から図６の（ｂ）の内容（待ち受けモード）に遷移し（Ｓ１１０）、待ち受けモードの画面が表示される。その後、主電源がオフ（専用のボタン又は入力デバイス７の内の指定のボタンの押下による）にされたか否かが判定され（Ｓ１１１）、電源オフが判定されると、全ての処理が終了する。また、電源オフが判定されないとき、処理はＳ１０２に戻され、以降の処理が繰り返し実行される。
【００１９】
一方、Ｓ１０３で電源ＯＦＦ指示処理部１４ｃが実行されると、ペン入力部６への電源供給はＯＦＦにされ（Ｓ１１２）、Ｓ１０１における処理が継続される（Ｓ１１２）。さらに、主電源がオフにされたか否かが判定され（Ｓ１１４）、電源オフが判定されたとき、全ての処理が終了する。また、電源オフが判定されないときには処理はＳ１０２に戻され、以降の処理が繰り返し実行される。
【００２０】
以上のように、ペン入力部６と表示部５とが上側筐体２と下側筐体４に別けて装備され、手書き入力時でも上側筐体２の表示部５の表示画面サイズがペン入力エリアに確保されることが無く、また、ペン入力部６への電源供給のＯＮ／ＯＦＦは、画面の切り替わりに応じて自動的に行われるため、従来のタイマや手動等による電源制御に比べて適切に電源制御が行われる結果、消費電力の低減が効果的に行われる。
【００２１】
図８は、本発明の第２の実施の形態を示す。本実施の形態における携帯端末装置２０は、１つの筐体２１によるストレート型（非折畳型）とし、その表面に表示部５、ペン入力部６、及び入力デバイス７を配置したところに特徴がある。表示部５、ペン入力部６、及び入力デバイス７の構成及び形状（又は仕様等）は上記した第１の実施の形態と同じであり、ペン入力部６の電源制御動作は同一である。したがって、得られる効果は変わらない。
【００２２】
上記各実施の形態においては、携帯端末装置として携帯電話機を示したが、本発明は携帯電話機のほか、ＰＨＳ(Personal Handyphone System)電話機、ＰＤＡ（Personal Digital Assistant）装置等にも適用可能である。
【００２３】
【発明の効果】
以上より明らかなように、本発明の携帯端末装置によれば、表示のみに用いる表示部と、ペン入力（手書き入力）のための入力操作機能と手書きの表示機能を有するペン入力部とを設け、表示部の表示領域の一部を手書き入力のために割り当てられることがなく、しかも、ペン入力部への通電は、ペン入力を要求される表示の行われている時にのみ行われるので、表示部を表示のみのために利用できると共に、ペン入力部における消費電力の抑制が効果的に行えるようになる。
【図面の簡単な説明】
【図１】本発明による携帯端末装置の第１の実施の形態を示す斜視図である。
【図２】図１の携帯端末装置の電気系統の構成を示すブロック図である。
【図３】図２のＲＯＭに格納されているプログラムの構成を示す構成図である。
【図４】本発明の携帯端末装置の入力処理を示すフローチャートである。
【図５】本発明にかかるペン入力部の電源ＯＮ時のペン入力部及び表示部の表示内容の変化を示し、（ａ）はペン入力部の電源ＯＦＦ時の状態、（ｂ）はペン入力部の電源ＯＮ時の状態、（ｃ）はペン入力部に手書き文字入力を行った状態を示す説明図である。
【図６】電源ＯＦＦ時のペン入力部及び表示部の表示内容の変化を示し、（ａ）はペン入力部の電源ＯＦＦ時の状態、（ｂ）はペン入力部の電源ＯＮ時の状態を示す説明図である。
【図７】ペン入力部の電源供給時にペン入力部の表示面に表示される手書き入力用ガイドを示す平面図である。
【図８】本発明の第２の実施の形態を示す平面図である。
【図９】入力パネルを装備した従来の携帯端末装置を示す斜視図である。
【符号の説明】
１，２０  携帯端末装置（携帯電話機）
２  上側筐体
３  ヒンジ部
４  下側筐体
５  表示部
６  ペン入力部
６ａ  手書き入力用ガイド
７  入力デバイス
８  アンテナ
１１  送受信回路部
１２  制御部
１３  ＲＡＭ
１４  ＲＯＭ
１５  表示駆動部
１６  音声処理部
１７  スピーカ
１８  マイク
２１  筐体
３０  携帯電話機
３１  上側筐体
３２  下側筐体
３３  ヒンジ部
３４  入力パネル付き表示部
３５  テンキー
３６  メニューキー
【図１】
0004120249.tif 000002
【図２】
0004120249.tif 000003
【図３】
0004120249.tif 000004
【図４】
0004120249.tif 000005
【図５】
0004120249.tif 000006
【図６】
0004120249.tif 000007
【図７】
0004120249.tif 000008
【図８】
0004120249.tif 000009
【図９】
0004120249.tif 000010